(57)【要約】【課題】伸縮性を損なうことなく、金属探知材１４が脱離する虞なしに、金属探知機に対する検知感度が高い飲料・食品・薬品の製造加工処理作業手袋２を提供する。【解決手段】樹脂素材４、樹脂糸素材４ａでそれぞれ作成される表シート１０と裏シート１２との積層体で形成され、裏シート中に金属探知機により探知可能な金属探知材１４を混入してなる。【選択図】図１
2009120974.tif 000002
【特許請求の範囲】
【請求項１】
樹脂素材でそれぞれ作成される少なくとも表シートと裏シートとの積層体で形成され、前記裏シート中に金属探知機により探知可能な金属探知材を混入してなることを特徴とする飲料・食品・薬品の製造加工処理作業手袋。
【請求項２】
樹脂糸素材でそれぞれ編成される少なくとも表シートと裏シートとの積層体で形成され、前記裏シート中に金属探知機により探知可能な金属探知材を混入し、前記表シートに防水加工を施してなることを特徴とする飲料・食品・薬品の製造加工処理作業手袋。
【請求項３】
樹脂素材でそれぞれ作成される少なくとも表シートと裏シートとの積層体で形成され、前記表シートと前記裏シート間に金属探知機により探知可能な金属探知材を間挿してなることを特徴とする飲料・食品・薬品の製造加工処理作業手袋。
【請求項４】
前記表シート及び裏シートのそれぞれの厚さは、３０〜１００μｍの範国内の値とすることを特徴とする請求項１乃至請求項３何れか１項記載の飲料・食品・薬品の製造加工処理作業手袋。
【請求項５】
前記表シート及び裏シートのそれぞれの厚さは、好ましくは３５〜８０μｍの範国内の値とすることを特徴とする請求項１乃至請求項３何れか１項記載の飲料・食品・薬品の製造加工処理作業手袋。
【請求項６】
前記表シート及び裏シートのそれぞれの厚さは、より好ましくは４０〜６０μｍの範国内の値とすることを特徴とする請求項１乃至請求項３何れか１項記載の飲料・食品・薬品の製造加工処理作業手袋。
【請求項７】
前記樹脂素材は、ポリエステル樹脂、ポリアミド樹脂、ポリアクリル樹脂、ポリオレフイン樹脂、ポリウレタン樹脂、ポリアセタール樹脂、ポリビニルアルコール樹脂、ポリ塩化ビニル樹脂、コットン樹脂及びパルプ樹脂からなる群から選択される少なくとも一つから構成されることを特徴とする請求項１乃至請求項３何れか１項記載の飲料・食品・薬品の製造加工処理作業手袋。
【請求項８】
前記金属探知材は、鉄、ステンレス、アルミニウム、銅、半田及びニッケルからなる群から選択される少なくとも一つであることを特徴とする請求項１乃至請求項３何れか１項記載の飲料・食品・薬品の製造加工処理作業手袋。
【請求項９】
前記金属探知材は、円盤状、粒状又は球状であって、その平均径、平均高を２０〜３０μｍの範囲内の値とすることを特徴とする請求項１乃至請求項３何れか１項記載の飲料・食品・薬品の製造加工処理作業手袋。
【請求項１０】
前記金属探知材は、フイラメント状であって、その平均線径を２０〜３０μｍ、平均長さを２００〜３００μｍの範囲内の値とされることを特徴とする請求項１乃至請求項３何れか１項記載の飲料・食品・薬品の製造加工処理作業手袋。
【請求項１１】
前記金属探知材は、粉状であって、その平均粒径を０．５〜３０μｍの範囲内の値とし、前記裏シートに分散されていることを特徴とする請求項１乃至請求項３何れか１項記載の飲料・食品・薬品の製造加工処理作業手袋。
【請求項１２】
前記金属探知材は、金属箔であることを特徴とする請求項３記載の飲料・食品・薬品の製造加工処理作業手袋。
【請求項１３】
前記金属探知材は、前記樹脂素材に対して重量比で５％〜７０％含有することを特徴とする請求項１乃至請求項３何れか１項記載の飲料・食品・薬品の製造加工処理作業手袋。
【請求項１４】
前記金属探知材は、前記樹脂素材に対して好ましくは重量比で３０％〜６０％含有することを特徴とする請求項１乃至請求項３何れか１項記載の飲料・食品・薬品の製造加工処理作業手袋。
【請求項１５】
前記金属探知材は、前記樹脂素材に対してより好ましくは重量比で４５％〜５５％含有することを特徴とする請求項１乃至請求項３何れか１項記載の飲料・食品・薬品の製造加工処理作業手袋。
【請求項１６】
前記表シートは、着色されることを特徴とする請求項１乃至請求項３何れか１項記載の飲料・食品・薬品の製造加工処理作業手袋。
【請求項１７】
樹脂素材で作成される表シートを形成する工程と、樹脂素材で作成され、金属探知機により探知可能な金属探知材を混入して裏シートを形成する工程と、前記表シートと前記裏シートを積層した１組を２組準備し、その４枚を前記裏シート同士が対面するように積層し、手袋形状に対応する端縁部をヒートシールする工程と、ヒートシールされた外縁を切抜く工程とからなることを特徴とする飲料・食品・薬品の製造加工処理作業手袋の製造方法。
【請求項１８】
樹脂糸素材で編成され、防水加工を施してなる表シートを形成する工程と、樹脂糸素材で編成され、金属探知機により探知可能な金属探知材を混入して裏シートを形成する工程と、前記表シートと前記裏シートを積層した１組を２組準備し、その４枚を前記裏シート同士が対面するように積層し、両層の手袋形状に対応する端縁部をヒートシールする工程と、ヒートシールされた外縁を切抜く工程とからなることを特徴とする飲料・食品・薬品の製造加工処理作業手袋の製造方法。
【請求項１９】
樹脂素材で作成される表シートを形成する工程と、樹脂素材で作成される裏シートを形成する工程と、前記表シートと前記裏シート間に金属探知機により探知可能な金属探知材を間挿し、前記表シートと前記裏シートを前記金属探知材を挟んで積層した１組を２組準備し、その４枚を前記裏シート同士が対面するように積層し、手袋形状に対応する端縁部をヒートシールする工程と、ヒートシールされた外縁を切抜く工程とからなることを特徴とする飲料・食品・薬品の製造加工処理作業手袋の製造方法。
【発明の詳細な説明】
【技術分野】
【０００１】
本発明は、飲料・食品・薬品の製造加工処理作業手袋及びその製造方法に関し、特に、飲料・食品・薬品の製造加工処理作業において、精度良く金属探知可能な飲料・食品・薬品の製造加工処理作業手袋及びその製造方法に係わる。
【背景技術】
【０００２】
従来から、飲料・食品・薬品の製造加工処理作業において、作業者の手指に生傷や火傷、膿部を持っている場合、絆創膏をその周りに巻回したり、或いは手、指表面、爪からの垢、汚れ、生傷、火傷、膿部等を製造加工処理製品に転移するのを防止するために絆創膏を装着して製造加工処理作業を行なっている。
【０００３】
この場合に、絆創膏の一部が脱離して、食品等に誤って混入した場合、その検知のために、検査機により検出可能な絆創膏が知られている。
【０００４】
この絆創膏は、支持体上に、プライマー層を介した粘着剤層と、パッドとを有し、支持体の一部に、金属材を配設したり、また支持体として、金属材を混入した樹脂フィルムや、合成樹脂及び金属樹脂の織成品や樹脂間に金属粉体を介在させたものとして知られている（例えば、特許文献１参照）。
【０００５】
また、柔軟性及び伸縮性を有するテープの表面に、該テープの伸縮性を損なわない程度に、金属層（金属粒子付着層）を一体に形成してなる絆創膏が知られている（例えば、特許文献２参照）。
【０００６】
【特許文献１】実公平３−１３３０４号公報
【特許文献２】特開２００６−６６６９号公報
【発明の開示】
【発明が解決しようとする課題】
【０００７】
しかしながら、特許文献１に開示された絆創膏は、基材を形成する支持体の一部に金属材を均一に配設しているが、金属材の種類や形態が制限され、検査機に対する感度が低いという難点が見られた。
【０００８】
また、特許文献２に開示された絆創膏は、その伸縮性を損なわない程度に、金属層（金属粒子付着層）が基材表面に積層されているものの、金属層が、基材表面から剥離しやすく、検査機に対する感度がばらつき易いばかりか、検査機に対する感度が低く、その検知は検査機では不可能であった。
【０００９】
一方、従来の絆創膏において、検査機に対する感度を高めるために、基材中に大きな平均粒径の金属粒子や金属樹脂を添加しようとすると、絆創膏の伸縮性を著しく損なったり、所定位置への配置が困難であったり、或いは異物感を生ずるという新たな難点も見られた。
【００１０】
本発明は、このような難点を解消するためになされたもので、伸縮性を損なわないで、金属探知材が脱離することなく、金属探知機に対する検知感度が高い飲料・食品・薬品の製造加工処理作業手袋を提供することを目的とする。
【００１１】
また、本発明は、伸縮性を損なわないで、金属探知材が脱離することなく、金属探知機に対する検知感度が高い飲料・食品・薬品の製造加工処理作業手袋の効率的な製造方法を提供することを目的とする。
【課題を解決するための手段】
【００１２】
この目的を達成するために、本発明の飲料・食品・薬品の製造加工処理作業手袋は、樹脂素材でそれぞれ作成される少なくとも表シートと裏シートとの積層体で形成され、裏シート中に金属探知機により探知可能な金属探知材を全体的又は部分的に混入してなるものである。
【００１３】
また、本発明の飲料・食品・薬品の製造加工処理作業手袋は、樹脂糸素材でそれぞれ編成される少なくとも表シートと裏シートとの積層体で形成され、裏シート中に金属探知機により探知可能な金属探知材を全体的又は部分的に混入し、表シートに防水加工を施してなるものである。
【００１４】
また、本発明の飲料・食品・薬品の製造加工処理作業手袋は、樹脂素材でそれぞれ作成される少なくとも表シートと裏シートとの積層体で形成され、表シートと裏シート間に金属探知機により探知可能な金属探知材を全体的又は部分的に間挿してなるものである。
【００１５】
本発明の飲料・食品・薬品の製造加工処理作業手袋において、表シート及び裏シートのそれぞれの厚さは、３０〜１００μｍの範国内の値とされる。
【００１６】
本発明の飲料・食品・薬品の製造加工処理作業手袋において、表シート及び裏シートのそれぞれの厚さは、好ましくは３５〜８０μｍの範国内の値とされる。
【００１７】
本発明の飲料・食品・薬品の製造加工処理作業手袋において、表シート及び裏シートのそれぞれの厚さは、より好ましくは４０〜６０μｍの範国内の値とされる。
【００１８】
本発明の飲料・食品・薬品の製造加工処理作業手袋において、樹脂素材は、ポリエステル樹脂、ポリアミド樹脂、ポリアクリル樹脂、ポリオレフイン樹脂、ポリウレタン樹脂、ポリアセタール樹脂、ポリビニルアルコール樹脂、ポリ塩化ビニル樹脂、コットン樹脂及びパルプ樹脂からなる群から選択される少なくとも一つから構成される。
【００１９】
本発明の飲料・食品・薬品の製造加工処理作業手袋において、金属探知材は、鉄、ステンレス、アルミニウム、銅、半田及びニッケルからなる群から選択される少なくとも一つである。
【００２０】
金属探知材は、円盤状、粒状又は球状であって、その平均径、平均高を２０〜３０μｍの範囲内の値とされる。
【００２１】
本発明の飲料・食品・薬品の製造加工処理作業手袋において、金属探知材は、フイラメント状であって、その平均線径を２０〜３０μｍ、平均長さを２００〜３００μｍの範囲内の値とされる。
【００２２】
本発明の飲料・食品・薬品の製造加工処理作業手袋において、金属探知材は、粉状であって、その平均粒径を０．５〜３０μｍの範囲内の値とし、裏シートに分散されている。
【００２３】
本発明の飲料・食品・薬品の製造加工処理作業手袋において、金属探知材は、金属箔である。
【００２４】
本発明の飲料・食品・薬品の製造加工処理作業手袋において、金属探知材は、樹脂素材に対して重量比で５％〜７０％含有する。
【００２５】
本発明の飲料・食品・薬品の製造加工処理作業手袋において、金属探知材は、樹脂素材に対して好ましくは重量比で３０％〜６０％含有する。
【００２６】
本発明の飲料・食品・薬品の製造加工処理作業手袋において、金属探知材は、樹脂素材に対してより好ましくは重量比で４５％〜５５％含有する。
【００２７】
本発明の飲料・食品・薬品の製造加工処理作業手袋において、表シートは、着色される。
【００２８】
本発明の飲料・食品・薬品の製造加工処理作業手袋の製造方法は、樹脂素材で作成される表シートを形成する工程と、樹脂素材で作成され、金属探知機により探知可能な金属探知材を全体的又は部分的に混入して裏シートを形成する工程と、表シートと裏シートを積層した１組を２組準備し、その４枚を裏シート同士が対面するように積層し、手袋形状に対応する端縁部をヒートシールする工程と、ヒートシールされた外縁を切抜く工程とからなる。
【００２９】
また、本発明の飲料・食品・薬品の製造加工処理作業手袋の製造方法は、樹脂糸素材で編成され、防水加工を施してなる表シートを形成する工程と、樹脂糸素材で編成され、金属探知機により探知可能な金属探知材を全体的又は部分的に混入して裏シートを形成する工程と、表シートと裏シートを積層した１組を２組準備し、その４枚を裏シート同士が対面するように積層し、両層の手袋形状に対応する端縁部をヒートシールする工程と、ヒートシールされた外縁を切抜く工程とからなる。
【００３０】
また、本発明の飲料・食品・薬品の製造加工処理作業手袋の製造方法は、樹脂素材で作成される表シートを形成する工程と、樹脂素材で作成される裏シートを形成する工程と、表シートと裏シート間に金属探知機により探知可能な金属探知材を全体的又は部分的に間挿し、表シートと裏シートを金属探知材を挟んで積層した１組を２組準備し、その４枚を裏シート同士が対面するように積層し、手袋形状に対応する端縁部をヒートシールする工程と、ヒートシールされた外縁を切抜く工程とからなる。
【発明の効果】
【００３１】
本発明の飲料・食品・薬品の製造加工処理作業手袋によれば、樹脂素材でそれぞれ作成される少なくとも表シートと裏シートとの積層体で形成され、裏シート中に金属探知機により探知可能な金属探知材を全体的又は部分的に混入してなるので、伸縮性を損なわない上に、金属探知材が脱離しにくく、金属探知機に対する検知感度が高く、飲料・食品・薬品の製造加工処理作業の安全性を大きく向上させることができる。
【００３２】
また、本発明の飲料・食品・薬品の製造加工処理作業手袋を構成するにあたり、樹脂糸素材でそれぞれ編成される少なくとも表シートと裏シートとの積層体で形成され、裏シート中に金属探知機により探知可能な金属探知材を全体的又は部分的に混入し、表シートに防水加工を施してあるので、金属探知材を固定することが容易になるとともに、所定位置からずれることを有効に防止することができ、伸縮性を損なわない上に、金属探知材が脱離しにくく、金属探知機に対する検知感度が高く、飲料・食品・薬品の製造加工処理作業手袋の一部が食品等に誤って混入したような場合でも、金属探知機によって正確に検知することができ、飲料・食品・薬品の製造加工処理作業の安全性を大きく向上させることができ、防水機能をもつ飲料・食品・薬品の製造加工処理作業手袋を効率的に製造することが可能となる。
【００３３】
また、本発明の飲料・食品・薬品の製造加工処理作業手袋を構成するにあたり、樹脂素材でそれぞれ作成される少なくとも表シートと裏シートとの積層体で形成され、表シートと裏シート間に金属探知機により探知可能な金属探知材を全体的又は部分的に間挿してなるので、飲料・食品・薬品の製造加工処理作業手袋における金属探知材の固定性が向上し、所定位置からずれることを有効に防止することができる。また、所定の金属探知材を、複数の表シートと裏シート間に挟み込むため、金属探知材を外部側から認識されないように構成することができるとともに、飲料・食品・薬品の製造加工処理作業手袋として用いた場合に、異物感をさらに和らげることができる。
【００３４】
本発明の飲料・食品・薬品の製造加工処理作業手袋を構成するにあたり、表シート及び裏シートのそれぞれの厚さは、３０〜１００μｍの範国内の値とされるので、飲料・食品・薬品の製造加工処理作業手袋として用いた場合に、異物感を和らげることができる。
【００３５】
本発明の飲料・食品・薬品の製造加工処理作業手袋を構成するにあたり、表シート及び裏シートのそれぞれの厚さは、好ましくは３５〜８０μｍの範国内の値とされるので、飲料・食品・薬品の製造加工処理作業手袋として用いた場合に、異物感をさらに和らげることができる。
【００３６】
本発明の飲料・食品・薬品の製造加工処理作業手袋を構成するにあたり、表シート及び裏シートのそれぞれの厚さは、より好ましくは４０〜６０μｍの範国内の値とされるので、飲料・食品・薬品の製造加工処理作業手袋として用いた場合に、異物感をさらに大きく和らげることができる。
【００３７】
また、本発明の飲料・食品・薬品の製造加工処理作業手袋を構成することにあたり、裏シートは、ポリエステル樹脂、ポリアミド樹脂、ポリアクリル樹脂、ポリオレフイン樹脂、ポリウレタン樹脂、ポリアセタール樹脂、ポリビニルアルコール樹脂、ポリ塩化ビニル樹脂、コットン樹脂及びパルプ樹脂からなる群から選択される少なくとも一つから構成されるので、このような樹脂を用いれば、金属探知材の存在位置の確認が容易になるばかりか、裏シート中への混入が容易になり、かつ金属探知機に対する感度を安定的に高めることができる。
【００３８】
また、本発明の飲料・食品・薬品の製造加工処理作業手袋を構成することにあたり、金属探知材は、鉄、ステンレス、アルミニウム、銅、半田及びニッケルからなる群から選択される少なくとも一つとされるので、金属探知機に対する感度をさらに高めることができるとともに、比較的安価で、所定形状に加工しやすい金属探知材を含有した飲料・食品・薬品の製造加工処理作業手袋として好適である。
【００３９】
また、本発明の飲料・食品・薬品の製造加工処理作業手袋を構成することにあたり、金属探知材は、円盤状、粒状又は球状であって、その平均径、平均高を２０〜３０μｍの範囲内の値とされるので、金属探知機に対する所定の感度を得ることができる。また、金属探知材が円盤状、粒状又は球状であれば、検出時に、どのような角度に存在していたとしても、所定の感度を得ることができる。
【００４０】
また、本発明の飲料・食品・薬品の製造加工処理作業手袋を構成することにあたり、金属探知材は、フイラメント状であって、その平均線径を２０〜３０μｍ、平均長さを２００〜３００μｍの範囲内の値とされるので、金属探知機による感度を高めることができる一方、平面方向に配列しやすいため、異物感を和らげたり、手袋の機能低下を少なくしたりすることができる。
【００４１】
また、本発明の飲料・食品・薬品の製造加工処理作業手袋を構成することにあたり、金属探知材は、粉状であって、その平均粒径を０．５〜３０μｍの範囲内の値とし、裏シートに分散されているので、金属探知機に対する感度がばらつかず、確実に高い感度が得られるばかりか、正確に認識することができる。
【００４２】
金属探知材は金属箔であるので、飲料・食品・薬品の製造加工処理作業手袋における金属探知材の固定性が向上し、所定位置からずれることを有効に防止することができる上に、所定の金属探知材を、複数の表シートと裏シート間に挟み込むため、金属探知材を外部側から認識されないように構成することができるとともに、飲料・食品・薬品の製造加工処理作業手袋として用いた場合に、異物感をさらに和らげることができる。
【００４３】
本発明の飲料・食品・薬品の製造加工処理作業手袋において、金属探知材は、樹脂素材に対して重量比で５％〜７０％含有するので、このように構成することにより、伸縮性を損なわない上に、金属探知機に対する検知感度が高く、飲料・食品・薬品の製造加工処理作業の安全性を大きく向上させることができる。
【００４４】
本発明の飲料・食品・薬品の製造加工処理作業手袋において、金属探知材は、樹脂素材に対して好ましくは重量比で３０％〜６０％含有するので、このように構成することにより、伸縮性を損なわない上に、金属探知機に対する検知感度が高く、飲料・食品・薬品の製造加工処理作業の安全性をいっそう大きく向上させることができる。
【００４５】
本発明の飲料・食品・薬品の製造加工処理作業手袋において、金属探知材は、樹脂素材に対してより好ましくは重量比で４５％〜５５％含有するので、このように構成することにより、伸縮性を損なわない上に、金属探知機に対する検知感度が高く、飲料・食品・薬品の製造加工処理作業の安全性を更にいっそう大きく向上させることができる。
【００４６】
また、本発明の飲料・食品・薬品の製造加工処理作業手袋を構成するにあたり、表シートは、着色されているので、飲料・食品・薬品の製造加工処理作業手袋の一部が食品等に混入した場合であっても、目視によって容易に識別しやすくすることができる。
【００４７】
本発明の飲料・食品・薬品の製造加工処理作業手袋の製造方法によれば、樹脂素材で作成される表シートを形成する工程と、樹脂素材で作成され、金属探知機により探知可能な金属探知材を全体的又は部分的に混入して裏シートを形成する工程と、表シートと裏シートを積層した１組を２組準備し、その４枚を裏シート同士が対面するように積層し、手袋形状に対応する端縁部をヒートシールする工程と、ヒートシールされた外縁を切抜く工程とを含むとからなるので、伸縮性を損なわない上に、金属探知材が脱離しにくく、金属探知機に対する検知感度が高く、飲料・食品・薬品の製造加工処理作業手袋の一部が食品等に誤って混入したような場合でも、金属探知機によって正確に検知することができ、飲料・食品・薬品の製造加工処理作業の安全性を大きく向上させることができる飲料・食品・薬品の製造加工処理作業手袋を効率的に製造することが可能となる。
【００４８】
また、本発明の飲料・食品・薬品の製造加工処理作業手袋の製造方法によれば、樹脂糸素材で編成され、防水加工を施してなる表シートを形成する工程と、樹脂糸素材で編成され、金属探知機により探知可能な金属探知材を全体的又は部分的に混入して裏シートを形成する工程と、表シートと裏シートを積層した１組を２組準備し、その４枚を裏シート同士が対面するように積層し、両層の手袋形状に対応する端縁部をヒートシールする工程と、ヒートシールされた外縁を切抜く工程とからなるので、伸縮性を損なわない上に、金属探知材が脱離しにくく、金属探知機に対する検知感度が高く、飲料・食品・薬品の製造加工処理作業手袋の一部が食品等に誤って混入したような場合でも、金属探知機によって正確に検知することができ、飲料・食品・薬品の製造加工処理作業の安全性を大きく向上させることができ、防水機能をもつ飲料・食品・薬品の製造加工処理作業手袋を効率的に製造することが可能となる。
【００４９】
さらに、本発明の飲料・食品・薬品の製造加工処理作業手袋の製造方法によれば、樹脂素材で作成される表シートを形成する工程と、樹脂素材で作成される裏シートを形成する工程と、表シートと裏シート間に金属探知機により探知可能な金属探知材を全体的又は部分的に間挿し、表シートと裏シートを金属探知材を挟んで積層した１組を２組準備し、その４枚を裏シート同士が対面するように積層し、手袋形状に対応する端縁部をヒートシールする工程と、ヒートシールされた外縁を切抜く工程とからなるので、伸縮性を損なわない上に、金属探知材が脱離しにくく、金属探知機に対する検知感度が高く、飲料・食品・薬品の製造加工処理作業手袋の一部が食品等に誤って混入したような場合でも、金属探知機によって正確に検知することができ、飲料・食品・薬品の製造加工処理作業の安全性を大きく向上させることができ、金属探知材の固定性が向上し、所定位置からずれることを有効に防止することができ、所定の金属探知材を、複数の表シートと裏シート間に挟み込むため、金属探知材を外部側から認識されない飲料・食品・薬品の製造加工処理作業手袋を効率的に製造することが可能となる。
【発明を実施するための最良の形態】
【００５０】
以下、本発明の飲料・食品・薬品の製造加工処理作業手袋について、その最良の実施形態を図面を参照して説明する。
【００５１】
図１に示すように、本発明の飲料・食品・薬品の製造加工処理作業手袋２は、樹脂素材４で形成して作成されるものである。
【００５２】
飲料・食品・薬品の製造加工処理作業手袋２は、手首部６と、そこから延びる手指部８を有している。
【００５３】
飲料・食品・薬品の製造加工処理作業手袋２には、第１の態様として、樹脂素材４でそれぞれ作成される少なくとも表シート１０と裏シート１２との積層体で形成され、裏シート１２中に金属探知機（図示せず）により探知可能な金属探知材１４を全体的又は部分的に混入してなるものである。
【００５４】
本発明の飲料・食品・薬品の製造加工処理作業手袋２において、裏シート１２は、ポリエステル樹脂、ポリアミド樹脂、ポリアクリル樹脂、ポリオレフイン樹脂、ポリウレタン樹脂、ポリアセタール樹脂、ポリビニルアルコール樹脂、ポリ塩化ビニル樹脂、コットン樹脂及びパルプ樹脂からなる群から選択される少なくとも一つから構成される。
【００５５】
このような種類の樹脂から構成することにより、裏シート１２としての安定的な製造が容易になるばかりか、飲料・食品・薬品の製造加工処理作業手袋２として用いた場合に、体液や汗又は薬液の吸収性が優れることになる。
【００５６】
また、表シート１０及び裏シート１２のそれぞれの厚さを３０〜１００μｍの範国内の値とされる。かかる裏シート１２の厚さが３０μｍ未満の値になると、機械的強度が低下したり、取り扱い性が低下したりして、飲料・食品・薬品の製造加工処理作業手袋２の用途に適さなくなる場合があるためである。一方、かかる表シート１０及び裏シート１２のそれぞれの厚さが１００μｍを超えると、過度に厚くなって、逆に、取り扱いが困難となるばかりか、飲料・食品・薬品の製造加工処理作業手袋２等の一部を構成した場合に、手から容易に離脱する場合があるためである。
【００５７】
表シート１０及び裏シート１２のそれぞれの厚さを３５〜８０μｍの範囲内の値とすることがより好ましく、優れた使用感が得られ、４０〜６０μｍの範囲内の値とすると、最良の使用感が得られやすい。
【００５８】
本発明の飲料・食品・薬品の製造加工処理作業手袋２において、金属探知材１４は、金属探知機により探知可能な鉄、ステンレス、アルミニウム、銅、半田及びニッケルからなる群から選択される少なくとも一つである。
【００５９】
このような金属探知材１４を用いることにより、金属探知機に対する感度をさらに高めることができるとともに、比較的安価で、所定形状に加工しやすい金属探知材４を混入した裏シート１２として提供することができる。
【００６０】
但し、強磁性であって、金属探知機に対する感度がさらに高く、かつ安価であることから、金属探知材として、鉄（メッキ鉄を含む〉を用いることがより好ましい。
【００６１】
なお、鉄は環境条件によっては、一般的に錆びやすいものの、本発明の場合、鉄は飲料・食品・薬品の製造加工処理作業手袋に周囲を包含された状態で存在し、乾燥しているため、殆ど錆びないことが判明している。
【００６２】
また、金属探知機に対する感度を長時間にわたって発揮させたり、滑り易く、長尺物中にさらに包含しやすかったりすることから、メッキ鉄やステンレスを用いることも好ましい。
【００６３】
本発明の飲料・食品・薬品の製造加工処理作業手袋２において、金属探知材１４は、扁平状（楕円状、円盤状）、粒状又は球状であって（図２（ｂ））、その平均径、平均高を２０〜３０μｍの範囲内の値とされる。なお、金属探知材１２として扁平状（楕円状、円盤状）にするときは、例えば、アルミニウム、銅、鉄、半田等の比較的柔らかい球状粒子を扁平化させたものであることが好ましい。
【００６４】
かかる金属探知材１４の平均径、平均高が２０μｍ未満の値になると、金属探知機等による検知感度が著しく低下する場合があり、一方、かかる金属探知材１４の平均粒径が３０μｍを超えると、飲料・食品・薬品の製造加工処理作業手袋２として使用した場合に、異物感が大きくなったり、長尺物中に安定的に包含することが困難となったりする場合がある。
【００６５】
本発明の飲料・食品・薬品の製造加工処理作業手袋２において、金属探知材１４は、フイラメント状（図２（ｃ））であって、その平均線径を２０〜３０μｍ、平均長さを２００〜３００μｍの範囲内の値とされる。
【００６６】
ここで、フイラメント状とは、概ね円柱状、単尺線条体であって、例えば金属探知材１４が金属で構成される場合、上記の平均線径の金属線を上記の平均長で切断することによって作成される。
【００６７】
フイラメント状の金属探知材１４は、例えば、断面楕円状の円柱状体の場合、その長径方向が指又は手首の周方向に一致するように等間隔で配列してなるのが好ましい。
【００６８】
このように構成することにより、金属探知機による検知感度を高めることができる一方、飲料・食品・薬品の製造加工処理作業手袋２における機能低下を少なくすることができる。
【００６９】
本発明の飲料・食品・薬品の製造加工処理作業手袋２において、金属探知材１４は、粉状（図２（ａ））であって、その平均粒径を０．５〜３０μｍの範囲内の値とし、裏シートに分散されている。
【００７０】
金属探知材１２として、粉状のものを裏シート１２に分散して使用することにより、金属探知機に対する感度がばらつかない飲料・食品・薬品の製造加工処理作業手袋２を得ることができる。また、金属探知材１４が連続的であることから、飲料・食品・薬品の製造加工処理作業手袋２の伸縮性を損なわない金属探知材１４を含む裏シート１２を提供することができる。
【００７１】
図３（ａ）に示すように、本発明の飲料・食品・薬品の製造加工処理作業手袋２の第２の態様において、樹脂糸素材４ａでそれぞれ編成される少なくとも表シート１０と裏シート１２との積層体で形成され、裏シート１２中に金属探知機により探知可能な金属探知材１４を全体的又は部分的に混入し、表シート１０に防水加工膜１６を施してなるものである。
【００７２】
このように構成することにより、金属探知材１４の裏シート内への編み込みが容易になるとともに、所定位置からずれることを有効に防止することができ、伸縮性を損なわない上に、金属探知材１４が脱離しにくく、金属探知機に対する検知感度が高く、飲料・食品・薬品の製造加工処理作業手袋の一部が食品等に誤って混入したような場合でも、金属探知機によって正確に検知することができ、飲料・食品・薬品の製造加工処理作業の安全性を大きく向上させることができ、防水機能をもつ飲料・食品・薬品の製造加工処理作業手袋を効率的に製造することが可能となる。
【００７３】
図３（ｂ）に示すように、本発明の飲料・食品・薬品の製造加工処理作業手袋２の第３の態様において、樹脂素材４でそれぞれ作成される少なくとも表シート１０と裏シート１２との積層体で形成され、表シート１０と裏シート１２間に金属探知機により探知可能な金属探知材１４を全体的又は部分的に間挿してなるものである。
【００７４】
このように構成することにより、飲料・食品・薬品の製造加工処理作業手袋における金属探知材１４の固定性が向上し、所定位置からずれることを有効に防止することができる。また、所定の金属探知材１４を、表シート１０と裏シート１２間に挟み込むため、金属探知材１４を外部側から認識されないように構成することができるとともに、飲料・食品・薬品の製造加工処理作業手袋として用いた場合に、異物感を和らげることができる。
【００７５】
図３（ｃ）に示すように、本発明の飲料・食品・薬品の製造加工処理作業手袋２の第４の態様において、樹脂素材４でそれぞれ作成される少なくとも表シート１０と裏シート１２との積層体で形成され、表シート１０と裏シート１２間に金属探知機により探知可能な金属探知材として金属箔１４ａを全体的又は部分的に間挿してなるものである。
【００７６】
このように構成することにより、飲料・食品・薬品の製造加工処理作業手袋における金属探知材１４の固定性が向上し、所定位置からずれることを有効に防止することができる。また、所定の金属探知材１４を、表シート１０と裏シート１２間に挟み込むため、金属探知材１４としての金属箔１４ａを外部側から認識されないように構成することができるとともに、飲料・食品・薬品の製造加工処理作業手袋として用いた場合に、異物感をさらに和らげることができる。
【００７７】
第３−４の態様において、このように構成することにより、金属探知材１４の組み込みが容易になるとともに、金属探知材１４が所定位置からずれることを有効に防止することができるためである。
【００７８】
したがって、このような飲料・食品・薬品の製造加工処理作業手袋２において、金属探知材１４の位置ずれを有効に防止することができる。その結果、手袋２の一部が非金属パッケージで包装された飲食物品内に誤って混入した場合であっても、それぞれ金属探知機に対する検知感度を効果的に高めることができる。
【００７９】
本発明の飲料・食品・薬品の製造加工処理作業手袋において、金属探知材は、樹脂素材に対して重量比で５％〜７０％含有する。
【００８０】
このように構成することにより、伸縮性を損なわない上に、金属探知機に対する検知感度が高く、飲料・食品・薬品の製造加工処理作業の安全性を大きく向上させることができる。
【００８１】
本発明の飲料・食品・薬品の製造加工処理作業手袋において、金属探知材は、樹脂素材に対して好ましくは重量比で３０％〜６０％含有する。
【００８２】
このように構成することにより、伸縮性を損なわない上に、金属探知機に対する検知感度が高く、飲料・食品・薬品の製造加工処理作業の安全性をいっそう大きく向上させることができる。
【００８３】
本発明の飲料・食品・薬品の製造加工処理作業手袋において、金属探知材は、樹脂素材に対してより好ましくは重量比で４５％〜５５％含有する。
【００８４】
このように構成することにより、伸縮性を損なわない上に、金属探知機に対する検知感度が高く、飲料・食品・薬品の製造加工処理作業の安全性を更にいっそう大きく向上させることができる。
【００８５】
本発明の飲料・食品・薬品の製造加工処理作業手袋において、表シート１０は、着色される。
【００８６】
このように表シート１０を着色することにより、飲料・食品・薬品の製造加工処理作業手袋の一部が食品等に混入した場合であっても、目視によって容易に識別しやすくすることができる。
【００８７】
また、飲料・食品・薬品の製造加工処理作業手袋２の表面に、識別マークや装飾層（図示せず）が設けてあることが好ましい。
【００８８】
数字マーク、漢字マーク、絵文字マーク、或いは点字マーク等を設けることにより、最適サイズの飲料・食品・薬品の製造加工処理作業手袋２を一目瞭然で選別することができ、飲料・食品・薬品の製造加工処理作業手袋２を使用する際の使い勝手を著しく向上させることができる。また、このような装飾層として、数字柄、漢字柄、絵文字柄、或いは写真絵柄等を表す装飾層を設けることにより、飲料・食品・薬品の製造加工処理作業手袋２を使用する際の使い勝手性が向上するばかりか、ファッシヨン性についての価値も向上させることができる。特に、蛍光剤を含む装飾層とすることにより、夜間における認識性を高めることも可能である。
【００８９】
次に、本発明の飲料・食品・薬品の製造加工処理作業手袋の製造方法について説明する。
【００９０】
図４（ａ）に示すように、樹脂素材２０ａであるシートコンパウンドホッパ２０にシートコンパウンド、金属探知材ホッパ２２に金属探知材１４を投入し、これをホッパ２４に供給する。なお、ホッパ２４に供給されるシートコンパウンド、金属探知材の供給を計量して上述の金属探知材の樹脂素材に対して重量比を決定する手段については図示を省略する。ホッパ２４に供給されるシートコンパウンド、金属探知材はシリンダ２６内に導入され、駆動装置２８によるスクリュー３０の回転に応じた加熱とヒータ３２によりシートコンパウンドは溶融され、金属探知材はシートコンパウンドと混練される。このようにして、金属探知材はシートコンパウンドに均等に分散又は配置されて混入される。この混練物はスクリュー３０の回転によりダイ３４から、金属探知材は裏シート１２として押し出される。これは上述した第１、第３、第４の態様において使用される。
【００９１】
なお、ダイ３４を取り替えることにより、金属探知材は樹脂糸４ａとして押し出すこともできる。これは上述した第２の態様において使用される。
【００９２】
＜第１の態様の製法＞
このようにして金属探知材１４を混入した裏シート１２と金属探知材を混入しない表シート１０を積層した１組を２組準備し、その４枚を裏シート１２同士が対面するように積層する（図４（ｂ））。手袋形状に対応する端縁部２ａをヒートシールし、次いで、ヒートシールされた外縁２ｂを切抜くことにより、本発明の飲料・食品・薬品の製造加工処理作業手袋２が製造される（図１、図５）。
【００９３】
＜第２の態様の製法＞
上述の樹脂糸４ａで編成され、金属探知材１４を混入した裏シート１２と金属探知材を混入しないで防水加工膜１６を施した表シート１０を積層した１組を２組準備し、その４枚を裏シート１２同士が対面するように積層する（図４（ｂ））。手袋形状に対応する端縁部２ａをヒートシールし、次いで、ヒートシールされた外縁２ｂを切抜くことにより、本発明の飲料・食品・薬品の製造加工処理作業手袋２が製造される（図３（ａ）、図６）。
【００９４】
＜第３の態様の製法＞
金属探知材を混入しない裏シート１２と金属探知材を混入しない表シート１０間に金属探知機により探知可能な金属探知材を間挿し、これらを積層した１組を２組準備し、その４枚を裏シート１２同士が対面するように積層する（図４（ｂ））。手袋形状に対応する端縁部２ａをヒートシールし、次いで、ヒートシールされた外縁２ｂを切抜くことにより、本発明の飲料・食品・薬品の製造加工処理作業手袋２が製造される（図３（ｂ）、図７）。
【００９５】
＜第４の態様の製法＞
金属探知材を混入しない裏シート１２と金属探知材を混入しない表シート１０間に金属探知機により探知可能な金属箔１４ａを間挿し、これらを積層した１組を２組準備し、その４枚を裏シート１２同士が対面するように積層する（図４（ｂ））。手袋形状に対応する端縁部２ａをヒートシールし、次いで、ヒートシールされた外縁２ｂを切抜くことにより、本発明の飲料・食品・薬品の製造加工処理作業手袋２が製造される（図３（ｃ）、図７）。
【００９６】
＜実験例１＞
金属探知材として鉄粉を以下の条件で混入した裏シートと金属探知材を混入しない表シートを積層した１組を２組準備し、その４枚を裏シート同士が対面するように積層した。
【００９７】
表シート、裏シートの各厚さ：５０μｍ
金属探知材としての鉄粉の平均粒径：３μｍ
金属探知材の樹脂素材（裏シート）に対する重量比：５０％
手袋形状に対応する端縁部をヒートシールし、次いで、ヒートシールされた外縁を切抜くことにより、本発明の飲料・食品・薬品の製造加工処理作業手袋を製造した。
【００９８】
得られた飲料・食品・薬品の製造加工処理作業手袋の一部を切断し、その切片を１００ｇのポテトサラダの中に埋設し、その状態で、金属探知機ＨＡ−０１（アンリツ産機システム社製）を用いて検査した。サンプル１００個のうち手袋の一部の総てを完全に検出することができた。
【００９９】
＜実験例２＞
金属探知材を混入しない裏シートと金属探知材を混入しない表シート間に金属探知機により探知可能な金属探知材を以下の条件で間挿し、これらを積層した。
【０１００】
表シート、裏シートの各厚さ：５０μｍ
金属探知材としての鉄粒の平均粒径：２５μｍ
金属探知材の樹脂素材（表シート、裏シート）に対する重量比：３０％
手袋形状に対応する端縁部をヒートシールし、次いで、ヒートシールされた外縁を切抜くことにより、本発明の飲料・食品・薬品の製造加工処理作業手袋を製造した。
【０１０１】
得られた飲料・食品・薬品の製造加工処理作業手袋の一部を切断し、その切片を１００ｇのミートソースの中に埋設し、その状態で、金属探知機ＨＡ−０１（アンリツ産機システム社製）を用いて検査した。サンプル１００個のうち手袋の一部の総てを完全に検出することができた。
【０１０２】
＜実験例３＞
金属探知材を混入しない裏シートと金属探知材を混入しない表シート間に金属探知機により探知可能な金属箔を以下の条件で間挿し、これらを積層した。
【０１０３】
表シート、裏シートの各厚さ：５０μｍ
金属探知材としての金属箔の厚さ：１５μｍ
金属探知材の樹脂素材（表シート、裏シート）に対する重量比：１７％
手袋形状に対応する端縁部をヒートシールし、次いで、ヒートシールされた外縁を切抜くことにより、本発明の飲料・食品・薬品の製造加工処理作業手袋を製造した。
【０１０４】
得られた飲料・食品・薬品の製造加工処理作業手袋の一部を切断し、その切片を１００ｇの米飯の中に埋設し、その状態で、金属探知機ＨＡ−０１（アンリツ産機システム社製）を用いて検査した。サンプル１００個のうち手袋の一部の総てを完全に検出することができた。
【産業上の利用可能性】
【０１０５】
本発明の飲料・食品・薬品の製造加工処理作業手袋によれば、金属探知機によって、感度良く検知することが可能であることから、飲料、食品、薬品、樹脂製品内に異物が混入した場合に、異物を探知して安全性の確保に利用が期待される。
【０１０６】
また、本発明の飲料・食品・薬品の製造加工処理作業手袋によれば、裏シート中に、金属探知材を混入してあることより、使い勝手が良いばかりか、金属探知機によって、感度良く検知することが可能となる。
【０１０７】
したがって、飲料・食品・薬品の製造加工処理作業手袋の一部が誤ってパッケージ内等に混入した場合であっても、金属探知機により検出して、異物の混入を容易に防止することが可能となる。
【図面の簡単な説明】
【０１０８】
【図１】金属探知材を含む本発明の飲料・食品・薬品の製造加工処理作業手袋の第１の態様を肉厚部を破断して示すための説明図である。
【図２】（ａ）、（ｂ）、（ｃ）は、本発明の飲料・食品・薬品の製造加工処理作業手袋において、裏シート内での金属探知材の形態を示すための説明図である。
【図３】（ａ）、（ｂ）、（ｃ）は、金属探知材を含む本発明の飲料・食品・薬品の製造加工処理作業手袋の第２の態様〜第４の態様を肉厚部を破断して説明するための断面図である。
【図４】（ａ）、（ｂ）は、本発明の飲料・食品・薬品の製造加工処理作業手袋の製造方法における工程を示すための工程説明図である。
【図５】本発明の第１の態様による飲料・食品・薬品の製造加工処理作業手袋の製造方法における工程を説明するためのフローチャートである。
【図６】本発明の第２の態様による飲料・食品・薬品の製造加工処理作業手袋の製造方法における工程を説明するためのフローチャートである。
【図７】本発明の第３の態様〜第４の態様による飲料・食品・薬品の製造加工処理作業手袋の製造方法における工程を説明するためのフローチャートである。
【符号の説明】
【０１０９】
２・・・飲料・食品・薬品の製造加工処理作業手袋
２ａ・・・端縁部
２ｂ・・・外縁
４・・・樹脂素材
４ａ・・・樹脂糸素材
６・・・手首部
８・・・手指部
１０・・・表シート
１２・・・裏シート
１４・・・金属探知材
１４ａ・・・金属箔
１６・・・防水加工膜
【図１】
2009120974.tif 000003
【図２】
2009120974.tif 000004
【図３】
2009120974.tif 000005
【図４】
2009120974.tif 000006
【図５】
2009120974.tif 000007
【図６】
2009120974.tif 000008
【図７】
2009120974.tif 000009